(57)【要約】      （修正有）【課題】長期間の旅行や登山に、また災害時の緊急避難用に利用することができるバックパックを提供する。【解決手段】バックパック本体１１に脚フレーム１２ａ，１２ｂよりなるスツール１２を取り付け、またバックパック本体１１の底部に固定したキャスタを取り付けると共にバックパック本体１１の上部にプル・ストラップを取り付け、バックパック本体１１の表面に太陽電池パネル１５を設け、太陽電池パネル１５が発電した電力を充電する充電用バッテリパックをバックパック本体１１に収容し、携帯情報端末機の内蔵バッテリが空になった場合でも、充電用バッテリパックから携帯情報端末機の内蔵バッテリにいつでも充電することが可能となる。【選択図】図２
2014200346.tif 000002
【特許請求の範囲】
【請求項１】
人の背中に担いで物品を運ぶために適したバックパック・アッセンブリにおいて、
物品を収容するためのバックパック本体、前記バックパック本体を担ぐために前記バックパック本体の後部に取り付けられるショルダー・ストラップ、および、前記バックパック本体の底部に設けられた基体、を含むバックパックと、
前記バックパック本体に取り付けられたスツールと、
前記基体に固定され、前記バックパック本体を移動させるためのキャスタと、
前記バックパック本体の表面に装着された太陽電池パネルと、
からなることを特徴とするバックパック・アッセンブリ。
【請求項２】
前記スツールは、第１および第２の脚フレームからなり、前記第１および第２の脚フレームの側部フレームをＸ字状に交差させ、前記第１および第２の脚フレームが交差点で回転することができるように前記交差点で軸固定されることを特徴とする請求項１記載のバックパック・アッセンブリ。
【請求項３】
前記第１の脚フレームの上部と前記第２の脚フレームの上部との間に取り付けられる着座するためのシートをさらに含むことを特徴とする請求項２記載のバックパック・アッセンブリ。
【請求項４】
前記シートは、物品を収納するためのポケットを備えることを特徴とする請求項３記載のバックパック・アッセンブリ。
【請求項５】
前記スツールは、前記バックパック本体の側部から延びるタブが前記第１の脚フレームを保持することにより、前記バックパック本体に取り付けられることを特徴とする請求項２記載のバックパック・アッセンブリ。
【請求項６】
前記第２の脚フレームの下部フレームを保持するための、前記バックパック本体の底面から延びるタブをさらに含むことを特徴とする請求項２記載のバックパック・アッセンブリ。
【請求項７】
前記第１および第２の脚フレームが開位置にある場合、前記キャスタは、前記第１および第２の脚フレームの下部フレームが形成する面より上部に固定されていることを特徴とする請求項２記載のバックパック・アッセンブリ。
【請求項８】
前記第１および第２の脚フレームが閉位置にある場合、前記キャスタは、前記第１および第２の脚フレームの側部フレームに沿って前記第１および第２の脚フレームの下部フレームの下端から予め定める長さだけ離れた位置になるように固定されていることを特徴とする請求項２記載のバックパック・アッセンブリ。
【請求項９】
前記バックパック本体の上部に前記バックパック・アッセンブリを引っ張るためのプル・ストラップをさらに含むことを特徴とする請求項１記載のバックパック・アッセンブリ。
【請求項１０】
前記太陽電池パネル装置は、前記バックパック本体の前面に装着されていることを特徴とする請求項１記載のバックパック・アッセンブリ。
【請求項１１】
前記太陽電池パネル装置に電気的に接続され、前記太陽電池パネル装置が発電する電力を蓄電するためのバッテリを収容していることを特徴とする請求項１記載のバックパック・アッセンブリ。
【請求項１２】
前記バッテリに電気的に接続され、携帯端末装置に電力を供給するための端子を前記バックパック本体の表面に取り付けられていることを特徴とする請求項１１記載のバックパック・アッセンブリ。
【発明の詳細な説明】
【技術分野】
【０００１】
本発明は、様々な機能を提供するバックパックに関し、さらに詳しくは、太陽電池パネルを装備するとともに、キャリーバックおよびスツール（椅子）として使用することができるバックパックに関する。
【背景技術】
【０００２】
従来のバックパックは、荷物を入れて背中で担ぐためのバッグで、リュックサックとも呼ばれ、旅行や登山の際に使用される外、様々な局面で用いられる。以下、背中で担ぐためのバッグをバックパックと称するが、バックパック以外の多種多様な称呼のバッグも上述の目的を達成する限りバックパックに含まれる。
【０００３】
バックパックの利用者は、長時間にわたり背負って移動するために、疲れた際に休憩をとる必要がある。その際、椅子に座って休養を取ることが、地面に直接座るより好ましい。そのような目的のために、日本国特開平１１−２８５４０７号公報は、リュックサックに椅子を取り付けたリュックサック等椅子付き携帯用具を開示している。また、重い荷物をリュックサックに収納して背負って移動することは、非常に疲れるため、日本国特開２０１１−１９４２６４号公報は、リュックサックの底面に車輪を取り付け、引っ張って移動することのできるリュックサックを開示する。
【先行技術文献】
【特許文献】
【０００４】
【特許文献１】特開平１１−２８５４０７号公報
【特許文献２】特開２０１０−１９４２６４号公報
【発明の概要】
【発明が解決しようとする課題】
【０００５】
しかしながら、バックパックは、地震等の災害発生時に、避難用具を収納したバックパックを背負い、避難地へ迅速に避難するために用いることもできる。避難地へ移動する際や避難地で滞在している間に、多くの人は、避難経路の探索や災害状況の入手のために携帯電話機やスマートフォンを含む個人用携帯情報端末機を利用する。これらの携帯情報端末機はバッテリを内蔵しているが、長時間の使用には限界がある。また、携帯情報端末機のバッテリを充電するための予備バッテリを所持していても、予備バッテリによる再充電にもバッテリ容量に限界がある。長時間に亘って充電する機会を逸すると、携帯情報端末機の内蔵バッテリや予備バッテリが完全に放電して空となってしまうおそれがある。
【０００６】
そこで、このような課題に対処するために、太陽電池を利用した充電装置を有していれば、たとえ内蔵バッテリや予備バッテリが完全に放電して携帯情報端末機を利用することができなくなっても、その太陽電池から携帯情報端末機のバッテリに充電することにより、携帯情報端末機を再度使用することができる。しかしながら、上述した災害が発生した緊急時に、このよう太陽電池を利用した充電装置を必ず所持して避難することは、必ずしも保証されるものではない。したがって、避難時においては、避難用具を収容したバックパックを利用するので、太陽電池を装備したバックパックがあれば、上述した課題が解決される。また、長期にわたり登山や旅行する際にも太陽電池を装備したバックパックを利用すれば、携帯情報端末機のバッテリ切れを防ぐことができる。
【課題を解決するための手段】
【０００７】
本願発明は、上述した課題を解決するために成されたもので、バックパック本体の表面に太陽電池パネル装置を装備するとともに、折り畳むことができるスツールおよび引っ張って移動するためにバックパック本体に取り付けたキャスタを一体化したバックパック・アッセンブリを提供する。
【発明の効果】
【０００８】
上述した構成を採用しているので、本願発明は、移動中にスツール上に座ることができ、またバックパック・アッセンブリを引っ張って移動させることができ、さらに携帯情報端末機に充電することができる多機能なバックパック・アッセンブリを提供することができる。
【図面の簡単な説明】
【０００９】
【図１】本願発明の一実施例に係り、バックパック本体に取り付けられたスツールの脚フレームが閉じられた状態を示すバックパック・アッセンブリの斜視図である。
【図２】本願発明の一実施例に係り、バックパック本体に取り付けられたスツールの脚フレームが開いた状態を示すバックパック・アッセンブリの斜視図である。
【図３】本願発明の一実施例に係り、脚フレームが開いた状態のバックパック・アッセンブリの背面図である。
【図４】本願発明の一実施例に係り、脚フレームが開いた状態のバックパック・アッセンブリの底面図である。
【図５】本願発明の一実施例に係り、バックパック・アッセンブリを背負っている状態を示す図である。
【図６】本願発明の一実施例に係り、バックパック・アッセンブリを引っ張る際のバックパック・アッセンブリを側面からみた図である。
【図７】本願発明の一実施例に係り、スツールに座っている状態を示す図である。
【図８】本願発明の一実施例に係り、太陽電池パネル装置および充電用バッテリパックのブロック図である。
【発明を実施するための形態】
【００１０】
以下、本願発明の一実施例を説明するが、図面に示されるバックパック・アッセンブリは、本願発明を具体化した一例を示すものであり、本願発明の要素が図面に示される配置や寸法に限定されるものではない。また、図面に示されるスツールは、背もたれを具備しない構造を有しているが、本願発明は、このような構造に限られるものではなく、背もたれを具備する実施例を含んでおり、背もたれの付加は当業者であれば容易である。さらに、図面に示されるキャスタは、車輪の方向を変えない構造を示しているが、本願発明のキャスタは、車輪の方向を変えることのできる構造を含む。同一の参照番号は、図面間に亘って同一または類似の要素を示す。
【００１１】
図１は、バックパック本体１１に取り付けられたスツール１２の脚フレーム１２ａ，１２ｂが閉じられた状態を示すバックパック・アッセンブリ１０の斜視図である。バックパック本体１１は、荷物の収容を分けるための仕切りによりいくつかのコンパートメントに分けられる。図１のバックパック・アッセンブリ１０は、例として２つのコンパートメント１１ａ，１１ｂを具備する。ジッパー１１ｃ，１１ｄを引くことにより、それぞれのコンパートメントを開いて荷物を入れることができる。バックパック本体１１は、ポリエステル繊維を用いて作製されるが、他の繊維を用いてもよい。また、アルミニウム等の軽量素材で作製されたフレームをバックパック本体１１の内部に配置し、バックパック・アッセンブリ１０を人の背に適合した形状にすることもできる。
【００１２】
スツール１２は、バックパック本体１１に取り付けられる。スツール１２は、一対の方形の脚フレーム１２ａ，１２ｂを交差点１２ｃでＸ字上に交差させた構造である。スツール１２は、交差点１２ｃでビスを脚フレーム１２ａ，１２ｂに挿入し、脚フレーム１２ａ，１２ｂが回転できるように固定する。ビスで脚フレーム１２ａ，１２ｂを固定する代わりに、交差点１２ｃをラチェット構造とすることにより、脚フレーム１２ａ，１２ｂが閉位置と開位置の２段の固定位置を持たせるようにしてもよい。脚フレーム１２ａ，１２ｂは、アルミニウム等の軽量材料で作製されるが、ジュラルミン、チタン、炭素繊維などの材料を使用してもよい。
【００１３】
スツール１２の脚フレーム１２ａは、バックパック本体１１の下部から延びるタブ１１ｅが巻かれ、そのタブより脚フレーム１２ａはバックパック本体１１に取り付けられる。このタブ１１ｅは、マジックテープ（登録商標）やベルクロとも呼ばれる面ファスナーを有しており、脚フレーム１２ａに巻かれたタブ１１ｅを剥がすことにより脚フレーム１２ａをバックパック本体１１から取り外すことが可能である。また、脚フレーム１２ａ，１２ｂの上部１２ｅには、着座用シート１３が取り付けられ、脚フレーム１２ａ，１２ｂを開状態にすると、着座用シート１３上に座ることができる。着座用シート１３の下部は、バックパック本体１１の上部から延びるタブ１４に結合され、バックパック本体１１の上部をタブ１４を介して脚フレーム１２ａ，１２ｂの上部１２ｅに取り付ける。タブ１１ｅとタブ１４により、スツール１２がバックパック本体１１に取り付けられる。タブ１４は、バックパック本体１１の上部とファスナーで結合されているので、このファスナーを外すことにより、スツール１２をバックパック本体１１から取り外すことが可能である。
【００１４】
バックパック本体１１の正面１１ｆ上に太陽電池パネル１５が装着される。太陽電池パネル１５は、太陽光線を電力に変換する装置で、一般に使用されているものである。太陽電池パネル１５で生成された電力は、太陽電池パネル１５内に設けられたコンバータにより所定の電圧（例えば、５ボルト）に変換される。太陽電池パネル１５は、図示していない充電用バッテリパック（例えば、リチウム・イオン電池）に接続され、生成された電力をバッテリパックに蓄える。このバッテリパックは、バックパック本体１１のコンパートメント１１ｂ内に設けられた所定のポケットに設置される。太陽電池パネル１５は、コンパートメント１１ｂ内で電気ケーブルを介してバッテリパックに接続される。バッテリパックは、出力用端子、例えばＵＳＢ端子を備えており、そのＵＳＢ端子を携帯情報端末機に接続することにより、携帯情報端末機内の内蔵バッテリを充電することができる。外部の携帯情報端末機へ接続するためのＵＳＢ端子をバックパック本体１１の表面に取り付け（図示せず）、コンパートメント１１ｂを開かなくても携帯情報端末機に接続できるようにしてもよい。太陽電池パネル１５は、太陽光線を受けられる場所であれば、バックパック本体１１のいずれの場所に装着してもよい。また、追加の太陽電池パネル１５をバックパック本体１１上の別の場所に（例えば、面ファスナーにより）取り付けられるようにしてもよい。
【００１５】
バックパック本体１１から延びるフラップ１１ｇは、ジッパー１１ｃ，１１ｄをカバーし、その表面にはネームプレート１１ｈが設けられる。フラップ１１ｇの先端は、バックル１１ｉによりバックパック本体１１の正面１１ｆに固定される。
【００１６】
図２は、バックパック本体１１に取り付けられたスツール１２の脚フレーム１２ａ，１２ｂが開いた状態を示すバックパック・アッセンブリ１０の斜視図である。脚フレーム１２ａ，１２ｂが開いた状態であるので、脚フレーム１２ａ，１２ｂの上部１２ｅに亘って着座用シート１３が広がり、その上に着座することが可能になる。なお、着座用シート１３は、図示していないが、着座用シート１３の上面と下面との間にポケットを具備する。特に冬季に、不織布製の袋の中に鉄粉の酸化によって発熱する発熱体を入れた使い捨てカイロを着座用シート１３のポケットの中に入れておけば、暖をとることができる。
【００１７】
図３は、脚フレーム１２ａ，１２ｂが開いた状態のバックパック・アッセンブリ１０の背面図を示す。また、図４は、脚フレーム１２ａ，１２ｂが開いた状態のバックパック・アッセンブリ１０の底面図を示す。図３に示されるバックパック本体１１から延びるプル・ストラップ１６は、バックパック・アッセンブリ１０をキャスタ１７によって地面上で引きずるためのストラップで、プル・ストラップ１６の保持部１６ａを握り、引っ張ることによりバックパック・アッセンブリ１０を引きずることができる。バックパック・アッセンブリ１０を背負う代わりの移動手段として便宜である。本実施例において、プル・ストラップ１６は、ポリエステル繊維を使用しているが、他の繊維を用いてもよい。図３には図示されていないが、プル・ストラップ１６の長さを調整するためのアジャスタをプル・ストラップ１６の途中に取り付けてもよい。このアジャスタにより体格の大きさに関わらず、バックパック・アッセンブリ１０をスムーズに引っ張ることができる。また、繊維製のストラップは軽くて安価であるが、アルミニウムや炭素繊維などの材料で作成されたハンドルをバックパック本体１１に内蔵し、バックパック・アッセンブリ１０を引きずる際にハンドルを引き出す構造にしてもよい。図６に示されるように、バックパック・アッセンブリ１０を引きずる際は、脚フレーム１２ａ，１２ｂが閉じられている必要があるが、その詳細は、後述する。
【００１８】
図３，４に示されるように、キャスタ１７は、バックパック本体１１の下部に設けられた基体の底部１１ｊに取り付けられる。バックパック本体１１の基体は、バックパック・アッセンブリ１０およびバックパック本体１１に入れられた荷物をしっかり保持すると共に、キャスタ１７を堅固に固定するために十分な程度の剛性を有する材料で作成される。図３，４に示されるキャスタ１７は、単方向に移動する車輪を有するが、車輪の方向を自由に変えられる構造を有していてもよい。底部１１ｊに取り付けられているタブ１８は、その一部に面ファスナーが取り付けられており、閉じた脚フレーム１２ａ，１２ｂに巻いて固定するために用いられる。
【００１９】
図５は、バックパック・アッセンブリ１０を背負っている状態を示す図である。通常のバックパックと同様に、バックパック・アッセンブリ１０は、バックパック本体１１に取り付けられたショルダ・ハーネス１９によって背負われる。バックパック・アッセンブリ１０を背負う際には、スツール１２の脚フレーム１２ａ，１２ｂは閉じた状態である。図５に示されるように、太陽電池パネル１５は、バックパック・アッセンブリ１０を背負って移動中であっても発電し、バックパック本体１１に配置されたバッテリパックを常に充電する。
【００２０】
次に、図６を参照すると、図６は、バックパック・アッセンブリ１０を引っ張る際のバックパック・アッセンブ１０を側面からみた図を示す。上述したように、バックパック・アッセンブリ１０を引っ張るときは、スツール１２の脚フレーム１２ａ，１２ｂは閉じられた状態に設定され、そしてプル・ストラップ１６を引き上げてバックパック・アッセンブリ１０はキャスタ１７によって引きずられる。図６に示されるように、バックパック・アッセンブリ１０を引きずるためにバックパック・アッセンブリ１０を傾けたとき、スツール１２の脚フレーム１２ａ，１２ｂのいずれもが地面２０に接しないように、キャスタ１７によって脚フレーム１２ａ，１２ｂを持ち上げることが重要である。すなわち、脚フレーム１２ａ，１２ｂが地面２０に接しないように、キャスタ１７がバックパック本体１１の底部１１ｊに取り付けられる。
【００２１】
図７は、脚フレーム１２ａ，１２ｂを開いてスツール１２に座っている状態を示す。スツール１２に座る場合、キャスタ１７が大地に接触すると、スツール１２の安定性が損なわれる。そこで、脚フレーム１２ａ，１２ｂが開いた状態で、キャスタ１７が大地に接触しないように、キャスタ１７がバックパック本体１１の底部１１ｊに取り付けられる。すなわち、キャスタ１７は、脚フレーム１２ａ，１２ｂが大地に接触する面より高い位置となるように、底部１１ｊに取り付けられる。
【００２２】
図８は、太陽電池パネル装置２１および充電用バッテリパック２２のブロック図を示す。半導体素子により形成された太陽電池パネル１５は、３つのサブパネル１５ａ，１５ｂ，１５ｃにより構成されるが、本願発明は、これに限定されることはない。より多くのサブパネルにより構成されてもよい。太陽光線の受光により各サブパネルが生成する電圧は、必ずしも充電用バッテリパックの入力電圧に適合するとは限らないので、太陽電池パネル装置２１は、所定の電圧（例えば、５ボルト）へ変換するコンバータ回路（図示せず）を具備する。太陽電池パネル装置２１は、図１に示されるバックパック本体１１のコンパートメント１１ｂ内のポケットに収容される。そのポケットは、太陽光線を受けられるように太陽電池パネル用の窓が開けられている。
【００２３】
コンバータ回路の出力は、出力コネクタ２３に結合されたコネクタ２４ａからコネクタ２４ｂを介して充電用バッテリパック２２に送られる。コネクタ２４ａおよびコネクタ２４ｂは、ＵＳＢコネクタである。バッテリパック２２は、市販されているリチウム・イオン電池で、コンパートメント１１ｂ内の所定のポケットに収容される。バッテリパック２２の出力は、電気ケーブル２５を利用して、携帯情報端末機内の内蔵バッテリを充電することができる。バッテリパック２２の出力用コネクタをバックパック本体１１に取り付けておけば、コンパートメント１１ｂを開けないで電気ケーブル２５を接続することができる。電気ケーブル２５は、携帯情報端末機に適合したコネクタ２５ａが使用される。
【００２４】
バックパック・アッセンブリ１０は、荷物を収容するバックパックに一時的に休憩するためのスツール（椅子）およびバックパックを引っ張るためのキャスタを備えると共に、携帯情報端末機に内蔵するバッテリへの充電を行なう太陽電池パネル装置２１を装備するので、長期間の旅行や登山に、また災害時の緊急避難用のバックパックとして利用することができる。
【符号の説明】
【００２５】
１０  バックパック・アッセンブリ
１１  バックパック本体
１１ｅ  タブ
１２  スツール
１２ａ，１２ｂ  脚フレーム
１３  着座用シート
１４  タブ
１５  太陽電池パネル
１６  プル・ストラップ
１７  キャスタ
１８  タブ
１９  ショルダ・ハーネス
２０  地面
２１  太陽電池パネル装置
２２  充電用バッテリパック
２３  出力コネクタ
２４ａ，２４ｂ  コネクタ
２５  電気ケーブル
【図１】
2014200346.tif 000003
【図２】
2014200346.tif 000004
【図３】
2014200346.tif 000005
【図４】
2014200346.tif 000006
【図５】
2014200346.tif 000007
【図６】
2014200346.tif 000008
【図７】
2014200346.tif 000009
【図８】
2014200346.tif 000010